(57)【要約】【課題】目視しなくても横管の詰まり具合を容易に監視できるようにする。【解決手段】排水管詰まり監視装置７は、排水横枝管の排水流入側近傍に取り付けられ、管状の本体枠７１と、本体枠７１の外周全体に取り付けられるゴムパッキン７２と、中央部分に配設される本体部７３と、本体部７３の下方に設けられ、排水横枝管に流入される排水の量を一定とする排水貫通口７５と、本体部７３の上方に設けられる空気貫通口７４と、を備える。本体部７３の排水流出側の側面には、水検知センサ７６ａ，７６ｂが垂直方向に並べて設けられており、これにより、排水流出側から逆流されてきた排水の水位を検出する。【選択図】図２
2020183675.tif 000002
【特許請求の範囲】
【請求項１】
横管の排水流入側近傍において前記横管に取り付けられる管状の枠部と、
前記枠部の位置まで前記横管の排水流出側から逆流されてきた排水の水位を検出する水位検出手段と、
前記水位検出手段により検出された水位に関するデータを中央監視装置へ送信する送信手段と、
を備えることを特徴とする排水管詰まり監視装置。
【請求項２】
前記枠部の長さ方向に沿って前記枠部の内側を上下２つに分割する本体部と、
前記本体部により分割された前記枠部内の下側に対応する排水貫通口と、
前記本体部により分割された前記枠部内の上側に対応する空気貫通口と、
を備えることを特徴とする請求項１に記載の排水管詰まり監視装置。
【請求項３】
前記空気貫通口に取り付けられる風圧測定手段を備え、
前記送信手段は、前記風圧測定手段により測定された風圧に関するデータを前記中央監視装置へ送信することを特徴とする請求項２に記載の排水管詰まり監視装置。
【請求項４】
前記水位検出手段は、前記本体部の前記横管の排水流出側の側面に垂直方向に並べて設けられる複数の水検知センサを含むことを特徴とする請求項１に記載の排水管詰まり監視装置。
【請求項５】
請求項１乃至４のいずれか1項に記載された排水管詰まり監視装置と、
中央監視装置と、
を有し、
前記中央監視装置は、
前記排水管詰まり監視装置から送信されてくるデータを受信する受信手段と、
前記受信手段により受信されたデータと、前記排水管詰まり監視装置が取り付けられている横管の詰まり具合を示す詰まり状況情報を提示する提示手段と、
を有することを特徴とする排水管詰まり監視システム。
【請求項６】
前記詰まり状況情報から予測できる前記横管の詰まりに対応する対応情報を通知する通知手段を有することを特徴とする請求項５に記載の排水管詰まり監視システム。
【発明の詳細な説明】
【技術分野】
【０００１】
本発明は、排水管詰まり監視装置及び排水管詰まり監視システム、特に横管の詰まり具合の監視に関する。
【背景技術】
【０００２】
例えば、ショッピングモール等の建築物に入っている飲食店から出る排水は、店舗内の排水管から排水舛及び排水横枝管を通して、ショッピングモールの立て管（本管）に送られ、そして屋外へ排出される。
【０００３】
ただ、油脂類を比較的多く使用する飲食店では、排水管が詰まる可能性が相対的に高くなる。そして詰まり具合がひどくなると、排水舛から排水横枝管に流入された排水が立て管から排出されずに逆流して店舗内を浸水させる場合がある。このような状況を解消するためには、排水管の詰まり具合がひどくなる前に清掃する必要がある。
【先行技術文献】
【特許文献】
【０００４】
【特許文献１】特開２０１１−１２８７９１号公報
【特許文献２】特開２００３−５６０３４号公報
【特許文献３】特開平２−２２３８８７号公報
【特許文献４】特開２０１８−５３６１６号公報
【特許文献５】特開平１０−１５９１６９号公報
【特許文献６】国際公開第２０１２／０１４６３２号
【発明の概要】
【発明が解決しようとする課題】
【０００５】
しかしながら、排水管は、建築物の床等に埋設されているため、排水管の中の詰まり具合を簡単に確認することはできない。また、定期的に清掃することも考えられるが、店舗によって詰まり具合が異なってくるため、それほど詰まっていなければ無駄な清掃作業となる。また、コスト的に無駄が発生しうる。その逆に、清掃作業を実施する間隔を開け過ぎてしまうと、前述したように排水の逆流を発生させてしまうことにもなり得る。
【０００６】
本発明は、目視しなくても横管の詰まり具合を容易に監視できるようにすることを目的とする。
【課題を解決するための手段】
【０００７】
本発明に係る排水管詰まり監視装置は、横管の排水流入側近傍において前記横管に取り付けられる管状の枠部と、前記枠部の位置まで前記横管の排水流出側から逆流されてきた排水の水位を検出する水位検出手段と、前記水位検出手段により検出された水位に関するデータを中央監視装置へ送信する送信手段と、を備えることを特徴とする。
【０００８】
また、前記枠部の長さ方向に沿って前記枠部の内側を上下２つに分割する本体部と、前記本体部により分割された前記枠部内の下側に対応する排水貫通口と、前記本体部により分割された前記枠部内の上側に対応する空気貫通口と、を備えることを特徴とする。
【０００９】
また、前記空気貫通口に取り付けられる風圧測定手段を備え、前記送信手段は、前記風圧測定手段により測定された風圧に関するデータを前記中央監視装置へ送信することを特徴とする。
【００１０】
また、前記水位検出手段は、前記本体部の前記横管の排水流出側の側面に垂直方向に並べて設けられる複数の水検知センサを含むことを特徴とする。
【００１１】
本発明に係る排水管詰まり監視システムは、上記記載の排水管詰まり監視装置と、中央監視装置と、を有し、前記中央監視装置は、前記排水管詰まり監視装置から送信されてくるデータを受信する受信手段と、前記受信手段により受信されたデータと、前記排水管詰まり監視装置が取り付けられている横管の詰まり具合を示す詰まり状況情報を提示する提示手段と、を有することを特徴とする。
【００１２】
また、前記詰まり状況情報から予測できる前記横管の詰まりに対応する対応情報を通知する通知手段を有することを特徴とする。
【発明の効果】
【００１３】
本発明によれば、目視しなくても横管の詰まり具合を容易に監視することができる。
【図面の簡単な説明】
【００１４】
【図１】本実施の形態において建築物に設置される排水配管設備の要部を示す概念図である。
【図２】本実施の形態における排水管詰まり監視装置の斜視図である。
【図３】本実施の形態における排水管詰まり監視システムのブロック構成を示す図である。
【図４】本実施の形態において排水管詰まり監視装置から受信したデータの表示の一例を示す図である。
【発明を実施するための形態】
【００１５】
以下、図面に基づいて、本発明の好適な実施の形態について説明する。
【００１６】
図１は、例えばショッピングモール等の建築物に設置される排水配管設備であってショッピングモール内の飲食店の排水設備１からの排水を屋外に排出するための排水配管設備の要部を示す概念図である。図１には、雑排水管２、排水桝（集水桝）３、排水トラップ用エルボ４、排水横枝管５及び立て管６を備える排水配管設備が示されている。排水設備１から排出される排水は、料理場の流しや床の排水口から排出される排水を想定している。排水には、排水管の詰まりの原因となる油脂類や食品のカスや粉等（以下、「油脂類」と総称）が含まれる場合がある。
【００１７】
図１に矢印で示すように、排水設備１から排出される排水は、雑排水管２を通って排水桝３に溜められ、排水トラップ用エルボ４、排水横枝管５及び立て管６を通って屋外へ排出される。なお、排水桝３における排水の水位が排水横枝管５の下面を上回ることで、排水桝３に溜められている排水は、排水横枝管５に自動的に流出される。
【００１８】
本実施の形態における排水管詰まり監視装置７は、排水横枝管５の入口側（排水の排水桝３からの流入側）近傍に取り付けられ、排水横枝管５の詰まりを監視する。排水横枝管５は、横管の一形態である。排水トラップ用エルボ４は、排水横枝管５に着脱可能に連結されるので、排水トラップ用エルボ４を取り外すことで排水管詰まり監視装置７を排水横枝管５に取り付けることは容易にできる。また、排水管詰まり監視装置７を排水横枝管５から取り外してクリーニングすることも可能である。
【００１９】
図２は、本実施の形態における排水管詰まり監視装置７の斜視図である。排水管詰まり監視装置７は、排水横枝管５の内径の形状に合わせて管状をしており、その管状を形成する本体枠７１の外周全体には、ゴムパッキン７２が取り付けられる。排水管詰まり監視装置７の枠部は、本体枠７１とゴムパッキン７２で形成され、ゴムパッキン７２の外周全体が排水横枝管５の内面と当接することで、排水桝３から排水横枝管５に流入される排水は、排水管詰まり監視装置７の中を通過する。排水管詰まり監視装置７は、ねじ止め等により着脱可能に排水横枝管５に固定してもよい。あるいは、溶接して着脱できないように固定してもよい。
【００２０】
本体枠７１の中央部分には、排水管詰まり監視装置７の長さ方向（図２において矢印Ａに示される排水の流れる方向）に沿って本体部７３が設けられる。本体部７３は、本体枠７１の左側内面及び右側内面と接していることから本体枠７１の内側を上下２つに分割することになる。上下に分割されることで形成された上側に対応する開口部は、空気貫通口７４であり、空気が流れる。上下に分割されることで形成された下側に対応する開口部は、排水貫通口７５であり、排水が流れる。
【００２１】
本体部７３は、図２に例示するように上下方向にある程度の幅（厚み）を持たせて形成される。その幅により形成される、排水流出側（排水横枝管５の出口側）の側面には、排水流出側から逆流されてきた排水の水位を検出する水位検出手段として複数の水検知センサ、本実施の形態の場合、２つの水検知センサ７６ａ，７６ｂが垂直方向に並べて設けられる。各水検知センサ７６ａ，７６ｂは、本体部７３の側面に設けられている凹部７７ａ，７７ｂにそれぞれ取り付けられる。なお、以降の説明において、水検知センサ７６ａ，７６ｂを相互に区別する必要はない場合は「水検知センサ７６」と総称する。凹部７７においても同様とする。水検知センサ７６は、逆流してきた排水を検知するので、逆流ではない排水、つまり矢印Ａ方向に流れる排水を検知しないように凹部７７の中に水検知センサ７６を設けるようにした。
【００２２】
排水横枝管５が詰まっていている場合、排水管詰まり監視装置７を通って立て管６へ流出されるはずの排水が逆流してくるが、水検知センサ７６ｂがその逆流してきた排水を検知すると、排水横枝管５における水位が水検知センサ７６ｂの取付位置まで達していることがわかる。同様に、水検知センサ７６ａが逆流してきた排水を検知すると、排水横枝管５における水位が水検知センサ７６ａの取付位置まで達していることがわかる。本実施の形態では、このように複数の水検知センサ７６を垂直方向に沿って並べて設けることで、排水横枝管５における水位を検出できるようにした。本実施の形態では、複数の水検知センサ７６を用いて水位を検出するようにしたが、水位検出センサ等、他の手段を用いて水位検出手段を形成してもよい。
【００２３】
空気貫通口７４の中には、空気貫通口７４を通る空気の風圧を測定する風圧センサ７８が設けられている。
【００２４】
そして、本体部７３の内部には、水検知センサ７６により検出された水位に関するデータ及び風圧センサ７８により測定された風圧に関するデータを中央監視装置へ送信する送信手段としての通信機７９が設けられている。
【００２５】
図３は、前述した通信機７９及び中央監視装置を有する排水管詰まり監視システムのブロック構成を示す図である。通信機７９は、収集部７９１、データ処理部７９２及び送信部７９３を有する。収集部７９１は、図示しない信号線を介して、あるいは無線通信により各センサ７６，７８からセンサデータを収集する。データ処理部７９２は、収集されたセンサデータを、中央監視装置１０との間で予め決められた形式のデータに変換する。送信部７９３は、データ処理部７９２により変換されたデータを有線又は無線により中央監視装置１０へ送信する。
【００２６】
通信機７９は、ＣＰＵ、ＲＯＭ、ＲＡＭ、ストレージ、ネットワークインタフェースを備えるコンピュータを搭載する。また、通信機７９は、図示していないが、コンピュータを動作させるための蓄電池等の電源手段を備えている。
【００２７】
中央監視装置１０は、建築物内に設置されている排水管の詰まり具合を集中して監視する装置であり、ＣＰＵ、ＲＯＭ、ＲＡＭ、ハードディスクドライブ（ＨＤＤ）等の記憶手段、ネットワークインタフェース、ユーザインタフェース（表示手段であるディスプレイ、及び入力手段であるマウスやキーボード）を備えるサーバコンピュータにより実現できる。中央監視装置１０は、受信部１１、解析処理部１２、提示部１３、通知部１４、データ記憶部１５及び装置マスタ情報記憶部１６を有している。なお、本実施の形態の説明に用いない構成要素については図から省略している。
【００２８】
受信部１１は、排水管詰まり監視装置７から送信されてくるデータを受信してデータ記憶部１５に保存する。解析処理部１２は、データ記憶部１５に保存されているデータを解析することで、排水管詰まり監視装置７が取り付けられている排水横枝管５の詰まり具合を示す詰まり状況情報を生成する。提示部１３は、解析処理部１２により生成された詰まり状況情報を、例えば中央監視装置１０に接続されているディスプレイに表示するなどして監視員等のユーザに提示する。通知部１４は、解析処理部１２により生成された詰まり状況情報から予測できる排水横枝管５の詰まり具合の状況に応じて排水横枝管５への対応情報を、排水配管の保守作業を行う作業員等に通知する。
【００２９】
装置マスタ情報記憶部１６には、排水管詰まり監視装置７に関するマスタ情報が設定登録されている。マスタ情報には、排水管詰まり監視装置７の識別情報、当該排水管詰まり監視装置７の取付位置を特定する位置情報、当該排水管詰まり監視装置７が有するセンサの種類及び各センサの取付位置等センサの種類に依存するセンサ情報が含まれる。位置情報には、契約情報等により店舗の位置が特定できるので、当該排水管詰まり監視装置７が取り付けられている排水横枝管５を使用している店舗の識別情報を設定してもよい。あるいは、建築物の設計情報等から排水横枝管５の配設位置が特定できる場合、当該排水管詰まり監視装置７が取り付けられている排水横枝管５の識別情報を設定してもよい。その他にも建築物における階、区域等を特定する情報を設定してもよい。センサ情報には、例えば、水検知センサ７６の場合は、水位が特定できるように排水横枝管５（若しくは排水管詰まり監視装置７）の最下点からの取付位置（高さ）が設定される。
【００３０】
中央監視装置１０における各構成要素１１〜１４は、中央監視装置１０を形成するコンピュータと、コンピュータに搭載されたＣＰＵで動作するプログラムとの協調動作により実現される。また、各記憶部１５，１６は、中央監視装置１０に搭載されているＨＤＤにて実現される。あるいは、ＲＡＭ又は外部にある記憶手段をネットワーク経由で利用してもよい。
【００３１】
また、本実施の形態で用いるプログラムは、通信手段により提供することはもちろん、ＣＤ−ＲＯＭやＵＳＢメモリ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。
【００３２】
次に、本実施の形態における動作について説明する。
【００３３】
前述したように、排水設備１から排出される排水は、雑排水管２、排水桝３、排水トラップ用エルボ４、排水横枝管５及び立て管６を通って屋外へ排出される。排水横枝管５には、立て管６に向けて若干傾斜は付けられているものの、排水に排水管の詰まりの原因となる油脂類が含まれていると、油脂類の堆積により詰まりが発生しうる。詰まり具合がひどくなってくると、排水トラップ用エルボ４から排水横枝管５に流入され排水管詰まり監視装置７を通過した排水は、詰まりが邪魔をして立て管６までスムーズに流れずに、状況によっては逆流してくる。逆流してきた排水が排水管詰まり監視装置７の取付位置まで戻ってくる。そして、水検知センサ７６ｂは、逆流してきた排水を検知すると水検知信号を出力する。
【００３４】
ところで、雑排水管２から排水桝３に大量の排水が一気に流入されてくると、排水横枝管５にも排水が一気に流入されてくる。そうすると、排水横枝管５の中で逆流が発生しやすい状況になる。一方、雑排水管２から排水桝３に排水が小量ずつ流入されてくると、排水横枝管５にも排水が小量ずつ流入されてくる。そうすると、排水横枝管５が詰まっていても逆流が発生しにくい。このように、水検知センサ７６により検出される排水の水位は、排水横枝管５に流入されてくる排水の量の影響を受けることになる。本実施の形態では、特に排水横枝管５に流入されてくる排水の量の影響を受けにくくするために排水貫通口７５を形成し、排水管詰まり監視装置７から流出される排水の量が極力一定となるようにした。これにより、排水横枝管５の詰まり具合を認識する際に、時系列的な水位の変化を比較しやすいようにした。
【００３５】
通信機７９における収集部７９１は、各センサ７６，７８からの出力を常時監視している。そして、収集部７９１が水検知センサ７６ｂから出力されたセンサデータ（水検知信号）を収集すると、データ処理部７９２は、収集されたセンサデータに、現在時刻（検知時刻）、当該排水管詰まり監視装置７の識別情報、排水を検知した水検知センサ７６ｂの識別情報を付加して水位に関するデータを生成する。そして、送信部７９３は、生成された水位に関するデータを中央監視装置１０へ送信する。水検知センサ７６ａが排水を検知したときにも同様である。なお、本実施の形態では、水検知センサ７６が排水を検知したときにデータを中央監視装置１０へ送信するようにしたが、検知していないときにもその旨を中央監視装置１０へ送信するようにしてもよい。
【００３６】
また、収集部７９１は、風圧センサ７８が測定した風圧を常時収集するが、データ処理部７９２は、収集されたセンサデータ（風圧）に、現在時刻（検知時刻）、当該排水管詰まり監視装置７の識別情報、風圧センサ７８の識別情報を付加して風圧に関するデータを生成する。そして、送信部７９３は、生成された風圧に関するデータを中央監視装置１０へ送信する。なお、データ処理部７９２は、収集された全てのセンサデータを送信対象としてもよいし、所定の時間間隔で収集されたセンサデータを送信対象としてもよい。
【００３７】
中央監視装置１０における受信部１１は、以上のようにして排水管詰まり監視装置７から送信されてくるデータを受信すると、データ記憶部１５に保存する。
【００３８】
図４は、排水管詰まり監視装置７から受信したデータを、例えばディスプレイに表示したときの表示の一例を示す図である。横軸は、時間である。縦軸は、センサデータを示している。図４においては、異なる種類のセンサデータを合わせて表示している。破線で示している風圧は、風圧センサ７８により測定された風圧である。また、図４では、各水検知センサ７６ａ，７６ｂに点線を対応させているが、点線上の実線部分が水検知信号を受信したときに対応する。
【００３９】
排水配管設備の管理者等（以下、「管理者」）は、このグラフ形式にて表示されたセンサデータを参照して、排水横枝管５の詰まり状況を認識する。例えば、管理者は、逆流が検知されている期間において、各水検知センサ７６ａ，７６ｂが排水を検知している時間長、水検知センサ７６ｂが排水を検知してから水検知センサ７６ａが排水を検知するまでの時間差、水検知センサ７６ａが排水を検知しなくなってから水検知センサ７６ｂが排水を検知しなくなるまでの時間差、更に水検知センサ７６が排水を検知してから検知しなくなるまでの時間長の変化の程度等を参照して、排水横枝管５の詰まり状況を認識する。
【００４０】
例えば、排水横枝管５の詰まり具合がひどくなってくると、水検知センサ７６が検知した排水が引けるのに時間がかかるようになってくる。つまり、水位が下がりにくい状態であることから排水を検知している時間が長くなってくる。また、水検知センサ７６が排水を検知する時間の間隔が短くなってくる。また、排水横枝管５の詰まり具合がひどくなってくると、空気も排水管詰まり監視装置７の方に戻ってくるため、風圧が上昇傾向になる。
【００４１】
管理者は、このように排水が検知されたときの各水検知センサ７６ａ，７６ｂの時間の関係や、水検知センサ７６が排水を検知したときの時間長や時間間隔の変化等を参照して排水横枝管５の詰まり具合を把握する。
【００４２】
また、管理者が経験等により排水横枝管５の詰まり具合を認識するのに対し、解析処理部１２は、過去の実績をもとに排水横枝管５の詰まり具合を示す詰まり状況情報を生成する。詰まり状況情報には、例えば、排水横枝管５の詰まり具合の変化を予測し、また、店舗の浸水の発生タイミングなどを予測した結果が含まれる。そして、通知部１４は、詰まり状況情報から予測できる排水横枝管５の詰まりに対応する対応情報を生成して、作業員等に通知する。対応情報には、例えば、詰まり状況情報から詰まり具合が悪化傾向にあることが認識された排水横枝管５に対しては、優先順位は高くはないものの近い将来に清掃を行う必要があることや、詰まり具合がひどいと認識された排水横枝管５に対しては、早急に清掃を行うことなどの清掃計画を含めるようにしてもよい。
【００４３】
以上説明したように、本実施の形態によれば、排水横枝管５を覗かなくても排水横枝管５の詰まり具合を監視することができる。これにより、必要のないタイミングで清掃を実施したり、その逆に清掃が遅れたことにより店舗を浸水させたりすることを防止できる。
【００４４】
なお、本実施の形態では、水検知センサ７６と風圧センサ７８を設けて、各センサデータによって排水横枝管５の詰まり具合を監視するようにした。センサの種類としては、これに限らず、他の種類のセンサを利用してもよい。例えば、排水貫通口７５に油脂類センサを設けて、排水に含有されている油脂類の比率を収集するようにしてもよい。また、風圧センサ７８の代わりに気圧センサを用いてもよい。
【００４５】
また、本実施の形態では、水位を検出するために２つの水検知センサ７６ａ，７６ｂを本体部７３に設けるようにしたが、水検知センサ７６ａ，７６ｂの数はこれに限る必要はない。数多く設けることで水位をより細かに検出できるようにしてもよい。水検知センサ７６ａ，７６ｂの取付位置も本体部７３に限る必要はない。例えば、本体部７３から各貫通口７４，７５の少なくとも一方に板形状（より詳細には、断面をコ字形状（Ｕ字形状）とし、凹みは排水横枝管５の排水流出側を向く）の取付板を突出させ、その取付板の凹みの中に水検知センサ７６を設けるようにして、数多くの水検知センサ７６を設置できるように構成してもよい。
【００４６】
また、本実施の形態では、横管の一例として排水横枝管５に排水管詰まり監視装置７を取り付けるようにしたが、その他の横管、例えば排水横主管等に取り付けるようにしてもよい。
【符号の説明】
【００４７】
１  排水設備、２  雑排水管、３  排水桝（集水桝）、４  排水トラップ用エルボ、５  排水横枝管、６  立て管、７  排水管詰まり監視装置、１０  中央監視装置、１１  受信部、１２  解析処理部、１３  提示部、１４  通知部、１５  データ記憶部、１６  装置マスタ情報記憶部、７１  本体枠、７２  ゴムパッキン、７３  本体部、７４  空気貫通口、７５  排水貫通口、７６，７６ａ，７６ｂ  水検知センサ、７７，７７ａ，７７ｂ  凹部、７８  風圧センサ、７９  通信機、７９１  収集部、７９２  データ処理部、７９３  送信部。
【図１】
2020183675.tif 000003
【図２】
2020183675.tif 000004
【図３】
2020183675.tif 000005
【図４】
2020183675.tif 000006